(57)【特許請求の範囲】
【請求項１】
太陽電池パネル相互の間に嵌挿することで該太陽電池パネル相互の間隔を調整する間隔調整具であって、太陽電池パネル相互の間隔として予め設定された寸法に合わせて形成された厚みを有する帯板状の挿入体を形成し、該挿入体を平面十字形状に組み合わせて太陽電池パネル相互のコーナー間に上から嵌挿するゲージ部を構成すると共に、該ゲージ部の上端部に太陽電池パネルの上面に係止せしめる係止片を設けた太陽電池パネル間隔調整具であって、該ゲージ部は、厚みの異なる二種類のゲージ部が設けられ、各ゲージ部の上端部相互を合わせるように接合すると共に、厚みの厚いゲージ部の接合部分に前記係止片が形成され、太陽電池パネル相互の二種類の間隔を調整するように構成されたことを特徴とする太陽電池パネル間隔調整具。
【請求項２】
前記ゲージ部は、高さが異なる二本の挿入体が交差した状態で、且つ、各挿入体の上端部が水平に揃うように構成され、高さの高い挿入体の下端部を前記太陽電池パネル相互の直線状の間に挿入せしめる直線用ゲージ部として設けられた請求項１記載の太陽電池パネル間隔調整具。
【請求項３】
前記ゲージ部及び前記係止片は、透明な合成樹脂材にて形成された請求項１又は２記載の太陽電池パネル間隔調整具。
【請求項４】
前記係止片は、前記ゲージ部Ｔの交差部位を中心とし、各挿入体を頂点とする平面正四角形状に形成された請求項１又は３記載の太陽電池パネル間隔調整具。
【発明の詳細な説明】
【技術分野】
【０００１】
本発明は、太陽電池用架台に太陽電池パネルを装着する際に使用する太陽電池パネル間隔調整具に関するものである。
【背景技術】
【０００２】
従来、パネル材の取付け工事において、パネル材の位置合せ作業を容易にするゲージや治具が提案されている。例えば、特許文献１に記載のパネル材の位置合わせ用ゲージは、外壁パネルを取り付ける工事に使用する外壁パネル用のゲージである。
【０００３】
特許文献２に記載のパネル位置決め治具は、住宅の床材として用いる床パネルを梁の上の所定位置に設置するために使用する床パネル用の治具である。
【０００４】
これらのゲージや治具は、いずれも外壁パネルや床パネルを一定の間隔に装着できるように工夫したものである。
【先行技術文献】
【特許文献】
【０００５】
【特許文献１】特許第３５２９２４９号公報
【特許文献２】特許第３９０３３５９号公報
【発明の概要】
【発明が解決しようとする課題】
【０００６】
従来の間隔調整具により、外壁パネルや床パネルを一定の間隔に装着できるようになっているが、太陽電池用架台に太陽電池パネルを装着する工事に使用する間隔調整具はこれまで提案されていなかった。
【０００７】
すなわち、太陽光発電において、太陽電池用架台に太陽電池パネルを複数枚装着する工事では、太陽電池パネル相互の間隔を一定に保ちながら連結する作業になる。この場合、太陽電池パネルをボルトやナットで固定しているが、ボルト取付孔のクリアランスや、太陽電池パネルの公差などにより、太陽電池パネルの縦目地・横目地が不ぞろいになることが多い。
【０００８】
また、太陽電池パネルの縦目地・横目地が不ぞろいになったままでは、美観上好ましくないので、多くの現場では、太陽電池パネルの縦目地や横目地の微調整作業を行っている。そのため、この微調整作業で装着工事の手間が増し、多くの作業時間を要するといった不都合が生じていた。
【０００９】
そこで、本発明は上述の課題を解消すべく創出されたもので、太陽電池パネルを装着する工事において、太陽電池パネル相互の間隔を一定に保ち、縦目地や横目地を揃えながら装着することが可能な太陽電池パネル間隔調整具の提供を目的とするものである。
【課題を解決するための手段】
【００１０】
上述の目的を達成すべく本発明における第１の手段は、太陽電池パネルＰ相互の間に嵌挿することで該太陽電池パネルＰ相互の間隔を調整する間隔調整具であって、太陽電池パネルＰ相互の間隔として予め設定された寸法に合わせて形成された厚みを有する帯板状の挿入体１を形成し、該挿入体１を平面十字形状に組み合わせて太陽電池パネルＰ相互のコーナー間に上から嵌挿するゲージ部Ｔを構成すると共に、該ゲージ部Ｔの上端部に太陽電池パネルＰの上面に係止せしめる係止片２を設けた太陽電池パネル間隔調整具であって、該ゲージ部Ｔは、厚みの異なる二種類のゲージ部Ｔ１、Ｔ２が設けられ、各ゲージ部Ｔ１、Ｔ２の上端部相互を合わせるように接合すると共に、厚みの厚いゲージ部Ｔ１の接合部分に前記係止片２が形成され、太陽電池パネルＰ相互の二種類の間隔を調整するように構成されたことにある。
【００１１】
第２の手段において、前記ゲージ部Ｔは、高さが異なる二本の挿入体１Ａ、１Ｂが交差した状態で、且つ、各挿入体１の上端部が水平に揃うように構成され、高さの高い挿入体１Ａの下端部を前記太陽電池パネルＰ相互の直線状の間に挿入せしめる直線用ゲージ部Ｓとして設けられたものである。
【００１３】
第３の手段において、前記ゲージ部Ｔ及び前記係止片２は、透明な合成樹脂材にて形成されたものである。
【００１４】
第４の手段の前記係止片２は、前記ゲージ部Ｔの交差部位を中心とし、各挿入体１を頂点とする平面正四角形状に形成されたことを課題解消のための手段とする。
【発明の効果】
【００１５】
本発明の請求項１によると、挿入体１を平面十字形状に組み合わせて太陽電池パネル相互のコーナー間に上から嵌挿するゲージ部Ｔを構成すると共に、該ゲージ部Ａの上端部に太陽電池パネルＰの上面に係止せしめる係止片２を設けたことにより、太陽電池パネルＰ相互のコーナーの間隔を一定に保ち、縦目地や横目地を揃えながら装着することができるものである。また、コーナーの間隔を一定に保ちながら施工ができるので、２枚乃至４枚の太陽電池パネルＰを効率良く揃えることが可能である。しかも、挿入体１の上端部に太陽電池パネルＰの上面に係止せしめる係止片２を設けているので、本発明調整具を複数配置して太陽電池パネルＰの位置を調整する場合に、ゲージ部Ｔの落下を防止することができる。また、厚みの異なる二種類のゲージ部Ｔ１、Ｔ２が設けられ、各ゲージ部Ｔ１、Ｔ２の上端部相互を合わせるように接合すると共に、厚みの厚いゲージ部Ｔ１の接合部分に前記係止片２が形成され、太陽電池パネルＰ相互の二種類の間隔を調整するように構成したことにより、太陽電池パネルＰの種類によって設置間隔が異なった場合でも、二種類のゲージ部Ｔ１、Ｔ２を選択することで対応することが可能になる。
【００１６】
請求項２のごとく、ゲージ部Ｔは、高さが異なる二本の挿入体１が交差した状態で、且つ、各挿入体１の上端部が水平に揃うように構成され、高さの高い挿入体１Ａの下端部を前記太陽電池パネルＰ相互の直線状の間に挿入せしめる直線用ゲージ部Ｓとして設けたことで、太陽電池パネルＰのコーナー部以外の直線部分においても太陽電池パネルＰの間隔を調整することが可能になる。この結果、コーナー部分および直線部分のいずれか任意の位置での調整が容易に行えるものである。
【００１８】
請求項３のごとく、ゲージ部Ｔ及び係止片２を透明な合成樹脂材にて形成することで、このゲージ部Ｔにて間隔を調整する太陽電池パネルＰの位置を目視確認しながら調整できる。しかも、合成樹脂の使用により、ゲージ部Ｔ嵌挿時や、太陽電池パネルＰ装着後、ゲージ部Ｔを取り外す際に、太陽電池パネルＰを傷つけるおそれもない。
【００１９】
請求項４のように、係止片２は、前記ゲージ部Ｔの交差部位を中心とし、各挿入体１を頂点とする平面正四角形状に形成されているので、特にコーナー部の間に嵌挿した場合に、係止片２の位置を確認することで、このコーナー部が正確にゲージ部Ｔに押し当てられているか否かについて、目視での確認を容易にすることができる。したがって、作業能率をさらに効率化することができる。
【図面の簡単な説明】
【００２０】
【図１】本発明の一実施例を示す斜視図である。
【図２】本発明の一実施例を示す平面図である。
【図３】本発明の一実施例を示す底面図である。
【図４】図２に示す矢視IV-IV線断面図である。
【図５】図２に示す矢視Ｖ-Ｖ線断面図である。
【図６】本発明の使用状態を示す概略平面図である。
【図７】本発明の他の使用状態を示す概略平面図である。
【図８】本発明の使用状態を示す要部斜視図である。
【図９】本発明の他の使用状態を示す要部斜視図である。
【発明を実施するための形態】
【００２１】
本発明によると、太陽電池用架台に太陽電池パネルを複数枚装着する工事において、太陽電池パネル相互の間隔を一定に保ち、縦目地や横目地を揃えながら装着することが可能になるなどといった当初の目的を達成した。
【実施例】
【００２２】
以下、本発明の実施例を説明する。本発明間隔調整具は、太陽電池用架台Ｑに太陽電池パネルＰを装着する際に、太陽電池パネルＰ相互の間に嵌挿することで該太陽電池パネルＰ相互の間隔を調整するものである。
【００２３】
本発明の主要構成は、挿入体１にて構成されたゲージ部Ｔと、このゲージ部Ｔの一部に形成された直線用ゲージ部Ｓとで構成されている（図１参照）。
【００２４】
挿入体１は、太陽電池パネルＰ相互の間隔として予め設定された寸法に合わせて形成された厚みを有する帯板状の部材である。この挿入体１を平面十字形状に組み合わせて太陽電池パネル相互のコーナー間に上から嵌挿するゲージ部Ｔを構成する（図８参照）。図示の挿入体１は、一対の帯板１Ｃを対向させ、所定の間隔に配置した間隔保持片１Ｄを帯板の間に配置することで、予め設定された寸法に挿入体１の厚みを合わせたものである。このような構成により、挿入体１を軽量且つ任意の厚みに形成することが可能になる（図２、図３参照）。
【００２５】
さらに、ゲージ部Ａの上端部に太陽電池パネルＰの上面に係止せしめる係止片を形成する。これらゲージ部Ｔ及び係止片２を、例えばポリカーボネート等の透明な合成樹脂材にて形成し、調整作業を目視でも行えるようにしている（図８参照）。
【００２６】
また、図示例の係止片２は、ゲージ部Ｔの交差部位を中心とし、各挿入体１を頂点とする平面正四角形状に形成している（図２、図３参照）。この係止片２の位置と太陽電池パネルＰのコーナーの位置とを比較することで、正確に設置しているか否かを目視で確認できるものである（図８参照）。また、この係止片２の形状は、図示例に限らず、他の形状に変更することも可能である。
【００２７】
ゲージ部Ｔは、高さが異なる二本の挿入体１が交差した状態で、且つ、各挿入体１の上端部が水平に揃うように構成されている（図４参照）。そして、高さの高い挿入体１Ａの下端部を前記太陽電池パネルＰ相互の直線状の間に挿入せしめる直線用ゲージ部Ｓとして設けている。この直線用ゲージ部Ｓは、太陽電池パネルＰのコーナー部以外の直線状の隙間に嵌挿することができるものである。
【００２８】
一方、高さの低い挿入体１Ｂには、切欠き部１Ｂａを形成している。この切欠き部１Ｂａは、太陽電池パネルＰの上に載置する際に、太陽電池パネルＰと、太陽電池パネルフレームＰ１との段差を回避して太陽電池パネルＰ上に水平に載置するためのものである（図９参照）。
【００２９】
また、調整間隔が異なる二種類のゲージ部Ｔを形成し、背中合わせに接合することも可能である（図１参照）。すなわち、厚みの異なる二種類のゲージ部Ｔ１、Ｔ２が各上端部相互を合わせるように接合したものである（図５参照）。このとき、係止片２は、厚みの厚いゲージ部Ｔ１の接合部分に形成している（図１参照）。このように形成することで、各ゲージ部Ｔ１、Ｔ２に共通する係止片２となり、太陽電池パネルＰ相互の二種類の間隔を調整することが可能になる。
【００３０】
本発明調整具は次のように使用する。まず、太陽電池パネルＰを複数段設置するには、太陽電池用架台Ｑ上に並べた太陽電池パネルＰの各コーナー部分に配置する（図６、図８参照）。図示例では、各ゲージ部Ｔ１、Ｔ２のうち幅が狭いゲージ部Ｔ２を使用している。この場合、係止片２の代わりに幅が厚いゲージ部Ｔ１が抜け止めとして機能する（図８参照）。また、一段の太陽電池パネルＰを設置する場合は、各太陽電池パネルＰのコーナー端部に半分だけ嵌挿して配置することが可能である（図７参照）。
【００３１】
さらに、直線用ゲージ部Ｓを利用することで、太陽電池パネルＰの直線部分に配置することも可能である（図９参照）。この場合、高さの低い挿入体１Ｂに設けた切欠き部１Ｂａが太陽電池パネルフレームＰ１を跨ぐようにして回避し、挿入体１Ｂが太陽電池パネルＰに水平に設置できるようにしている。
【産業上の利用可能性】
【００３２】
本発明の実施例において、太陽電池用架台Ｑに太陽電池パネルＰを装着する際に使用する間隔調整具として説明しているが、太陽電池パネルＰを屋根や壁面に装着する際の間隔調整具として利用することも可能である。また、本発明の挿入体１や係止片２各構成や材質等は図示例に限られるものではなく、本発明の要旨を変更しない範囲での設計変更は任意に行えるものである。
【符号の説明】
【００３３】
Ｐ  太陽電池パネル
Ｐ１  太陽電池パネルフレーム
Ｑ  太陽電池用架台
Ｓ  直線用ゲージ部
Ｔ  ゲージ部
１  挿入体
１Ａ  挿入体
１Ｂ  挿入体
１Ｂａ  切欠き部
１Ｃ  帯板
１Ｄ  間隔保持片
２  係止片
【図１】
0005426625.tif 000002
【図２】
0005426625.tif 000003
【図３】
0005426625.tif 000004
【図４】
0005426625.tif 000005
【図５】
0005426625.tif 000006
【図６】
0005426625.tif 000007
【図７】
0005426625.tif 000008
【図８】
0005426625.tif 000009
【図９】
0005426625.tif 000010